(57)【要約】【課題】自動運転による車両移動中において広告に関して乗員の要望が反映された目的地を設定する。【解決手段】広告連動目的地設定システム１は、予め設定された目的地に向かって自動運転中の車両の乗員に対して広告の配信を行う広告配信部１１と、広告に関連付けられた広告連動目的地を車両の新たな目的地に設定するか否かについての乗員の選択を受け付ける選択受付部３１と、広告連動目的地を車両の新たな目的地に設定するとの乗員の選択を選択受付部３１が受け付けた場合に、広告連動目的地を車両の新たな目的地に設定する目的地設定部３２と、を備える。【選択図】図１
2019087119.tif 000002
【特許請求の範囲】
【請求項１】
予め設定された目的地に向かって自動運転中の車両の乗員に対して広告の配信を行う広告配信部と、
前記広告に関連付けられた広告連動目的地を前記車両の新たな目的地に設定するか否かについての前記乗員の選択を受け付ける選択受付部と、
前記広告連動目的地を前記車両の新たな目的地に設定するとの前記乗員の選択を前記選択受付部が受け付けた場合に、前記広告連動目的地を前記車両の新たな目的地に設定する目的地設定部と、を備える、広告連動目的地設定システム。
【発明の詳細な説明】
【技術分野】
【０００１】
本開示は、広告連動目的地設定システムに関する。
【背景技術】
【０００２】
自動運転車両により目的地までユーザを運ぶ輸送サービスを実現するシステムが知られている。特許文献１には、ユーザが自動運転車両の配車を依頼する際にユーザに対して広告の配信を行い、ユーザの承諾を得たうえで広告に関連付けられた地点を目的地に設定する輸送サービスを実現するシステムが開示されている。
【先行技術文献】
【特許文献】
【０００３】
【特許文献１】米国特許第８６３０８９７号明細書
【発明の概要】
【発明が解決しようとする課題】
【０００４】
上述したシステムでは、ユーザ（乗員）は、広告に関連付けられた地点を目的地に設定することを承諾するか否かの判断を、自動運転車両の配車を依頼する際に事前に行う。ところで、自動運転中の車両内において乗員に広告を配信することが考えられるが、上述したシステムは、このような場合に対応できておらず改善の余地がある。このため、目的地に関する乗員の要望が十分に反映されない場合がある。
【０００５】
そこで、本技術分野では、自動運転による車両移動中において広告に関して乗員の要望が反映された目的地を設定することができる広告連動目的地設定システムが望まれている。
【課題を解決するための手段】
【０００６】
本開示の一態様に係る広告連動目的地設定システムは、予め設定された目的地に向かって自動運転中の車両の乗員に対して広告の配信を行う広告配信部と、広告に関連付けられた広告連動目的地を車両の新たな目的地に設定するか否かについての乗員の選択を受け付ける選択受付部と、広告連動目的地を車両の新たな目的地に設定するとの乗員の選択を選択受付部が受け付けた場合に、広告連動目的地を車両の新たな目的地に設定する目的地設定部と、を備える。
【発明の効果】
【０００７】
本発明によれば、自動運転による車両移動中において広告に関して乗員の要望が反映された目的地を設定することが可能となる。
【図面の簡単な説明】
【０００８】
【図１】図１は、本実施形態に係る広告連動目的地設定システムを示すブロック図である。
【図２】図２は、広告配信処理を示すフローチャートである。
【図３】図３は、目的地変更処理を示すフローチャートである。
【発明を実施するための形態】
【０００９】
以下、図面を参照して、例示的な実施形態について説明する。
【００１０】
図１は、本実施形態に係る広告連動目的地設定システム１を示すブロック図である。図１に示される広告連動目的地設定システム１は、自動運転中の車両の乗員に対して広告の配信を行うとともに、広告に関連付けられた地点を車両の新たな目的地に設定するシステムである。広告連動目的地設定システム１は、広告配信サーバ１０及び目的地設定ＥＣＵ［Electronic Control Unit］３０を備えている。
【００１１】
広告配信サーバ１０は、通信手段を介して目的地設定ＥＣＵ３０と通信可能であり、目的地設定ＥＣＵ３０に対して情報の送信及び受信を行う。広告配信サーバ１０には、サーバ通信部２０が接続されている。サーバ通信部２０は、目的地設定ＥＣＵ３０に接続された車両通信部４０との間で無線ネットワークを介して各種の情報の送信及び受信を行う。
【００１２】
広告配信サーバ１０は、広告配信部１１及び広告連動目的地データベース１２を有している。
【００１３】
広告配信部１１は、予め設定された目的地に向かって自動運転中の車両の乗員に対して広告の配信を行う。「乗員に対して広告の配信を行う」とは、乗員が視聴可能な状態となるように広告の配信を行うことを意味する。例えば、「乗員に対して広告の配信を行う」とは、車両のディスプレイ又はスピーカに広告の配信を行うことであってもよく、乗員が保有している携帯端末等に広告の配信を行うことであってもよい。
【００１４】
広告配信部１１は、後述するように目的地設定ＥＣＵ３０において予め設定された目的地に関する情報を取得する。広告配信部１１は、目的地設定ＥＣＵ３０において予め設定された目的地の周辺に広告対象店舗が存在しているか否かを判定する。「目的地の周辺」とは、目的地から予め設定された距離（例えば、５００ｍ）の範囲内の領域、又は、所定の移動手段において目的地から予め設定された時間（例えば、徒歩５分）で到達可能な範囲内の領域を意味する。「広告対象店舗」とは、広告連動目的地データベース１２に広告が記憶されている店舗である。
【００１５】
広告配信部１１は、目的地の周辺に存在している広告対象店舗のうちから広告の配信を行う店舗を決定する。広告配信部１１は、目的地の周辺に複数の広告対象店舗が存在している場合には、複数の広告対象店舗の広告を配信してもよい。広告配信部１１は、乗員の過去の行動履歴、又は、乗員のインターネット等での過去の検索履歴に基づいて乗員の好みを把握し、当該好みに合った店舗の広告のみを配信してもよい。広告配信部１１は、複数の広告対象店舗の広告を配信する場合には、広告を配信する店舗に優先順位（すなわち、広告が配信される順番）を設定してもよい。
【００１６】
広告配信部１１は、配信を行うことに決定された広告対象店舗の広告を目的地設定ＥＣＵ３０に送信し、当該広告をＨＭＩ４２により出力させて乗員が視聴可能とする。広告配信部１１は、所定のタイミング（例えば、乗員が乗車してから所定時間が経過したタイミング）に広告を配信してもよい。
【００１７】
広告連動目的地データベース１２は、広告対象店舗を、その広告（映像、音声等）及び位置情報と関連付けて記憶している。また、広告連動目的地データベース１２は、広告連動目的地を記憶している。「広告連動目的地」とは、広告対象店舗の広告に関連付けられた地点であり、例えば当該広告対象店舗の位置する地点である。
【００１８】
目的地設定ＥＣＵ３０は、自動運転を実行可能な車両に搭載され、装置を統括的に制御するＥＣＵである。目的地設定ＥＣＵ３０は、ＣＰＵ［Central Processing Unit］、ＲＯＭ［Read OnlyMemory］、ＲＡＭ［Random Access Memory］等を有する電子制御ユニットである。目的地設定ＥＣＵ３０は、例えば、ＲＯＭに記憶されているプログラムをＲＡＭにロードし、ＲＡＭにロードされたプログラムをＣＰＵで実行することにより、後述する各機能を実現する。
【００１９】
目的地設定ＥＣＵ３０には、車両通信部４０、自動運転ＥＣＵ４１、及びＨＭＩ４２が接続されている。車両通信部４０は、広告配信サーバ１０に接続されたサーバ通信部２０との間で無線ネットワークを介して各種の情報の送信及び受信を行う。
【００２０】
自動運転ＥＣＵ４１は、車両の自動運転を実行する。自動運転ＥＣＵ４１は、ＣＰＵ、ＲＯＭ、ＲＡＭ等を有する電子制御ユニットである。自動運転ＥＣＵ４１は、例えば、ＲＯＭに記憶されているプログラムをＲＡＭにロードし、ＲＡＭにロードされたプログラムをＣＰＵで実行することにより、車両に搭載された自動運転システムの各機能を実現する。
【００２１】
自動運転ＥＣＵ４１は、車両の各構成要素と通信可能に接続されている。例えば、自動運転ＥＣＵ４１は、地図情報を記憶する地図データベース、ＧＰＳ［Global Positioning System］により車両の地図上の位置を測位する測位部、車両を走行させるための各種アクチュエータ、及び各種センサと接続されている。これにより、自動運転ＥＣＵ４１は、地図データベースの地図情報、測位部の測位した車両の地図上の位置情報、及び各種センサの検出結果を参照することができる。また、自動運転ＥＣＵ４１は、各種アクチュエータに信号を出力することができる。
【００２２】
ＨＭＩ４２は、目的地設定ＥＣＵ３０と乗員との間で情報の入力及び出力を行うためのインターフェイスである。ＨＭＩ４２は、一例として、ディスプレイ及びスピーカ等を備えている。ＨＭＩ４２は、目的地設定ＥＣＵ３０からの制御信号に応じて、ディスプレイの画像出力及びスピーカからの音声出力を行う。ディスプレイは、ヘッドアップディスプレイであってもよい。ＨＭＩ４２は、一例として、乗員からの入力を受け付けるための入力機器（タッチパネル、ボタン、音声入力器等）を備えている。
【００２３】
ＨＭＩ４２は、広告配信部１１により配信を行うことに決定された広告対象店舗の広告を目的地設定ＥＣＵ３０が受信すると、当該広告を出力（ディスプレイの画像出力及びスピーカからの音声出力）する。ＨＭＩ４２は、予めダウンロードされた広告のデータに基づいて広告を出力してもよく、ストリーミング再生により広告を出力してもよい。ＨＭＩ４２は、広告が出力されていた時間を記憶する。また、ＨＭＩ４２は、広告配信部１１により広告の配信が完了した後に、当該広告に関連付けられた広告連動目的地を車両の新たな目的地に設定するか否かについての選択肢（例えば、アイコン等）を表示する。これらの選択肢が入力機器により乗員により選択されると、入力機器を介して入力情報が目的地設定ＥＣＵ３０に入力される。なお、ＨＭＩ４２は、広告配信部１１による広告の配信中に、当該広告に関連付けられた広告連動目的地を車両の新たな目的地に設定するか否かについての選択肢を表示してもよい。
【００２４】
目的地設定ＥＣＵ３０は、選択受付部３１、目的地設定部３２、及び利用料金算出部３３を有している。
【００２５】
選択受付部３１は、広告配信部１１により配信された広告に関連付けられた広告連動目的地を車両の新たな目的地に設定するか否かについての乗員の選択を受け付ける。より詳細には、選択受付部３１は、広告連動目的地を車両の新たな目的地に設定するか否かについてのＨＭＩ４２に表示された選択肢のいずれかが乗員により選択され、ＨＭＩ４２の入力機器を介して入力された当該選択肢についての入力情報を受け付ける。乗員が「広告連動目的地を車両の新たな目的地に設定する」ことを選択し、ＨＭＩ４２の入力機器を介して目的地設定ＥＣＵ３０に入力する操作（目的地再設定操作）を行った場合、選択受付部３１は、乗員の「広告連動目的地を車両の新たな目的地に設定する」との選択を受け付ける。一方、乗員が目的地再設定操作を行わない場合、選択受付部３１は、乗員の「広告連動目的地を車両の新たな目的地に設定しない」との選択を受け付ける。選択受付部３１は、広告配信部１１により広告の配信が完了した後に乗員の選択を受け付ける。なお、選択受付部３１は、さらに広告配信部１１による広告の配信中にも乗員の選択を受け付けてもよい。
【００２６】
目的地設定部３２は、「広告連動目的地を車両の新たな目的地に設定する」との乗員の選択を選択受付部３１が受け付けた場合に、広告連動目的地を車両の新たな目的地に設定する。より詳細には、目的地設定部３２は、広告配信部１１により配信された広告を特定する特定情報を広告配信サーバ１０の広告連動目的地データベース１２に送信し、当該広告に関連付けられた広告連動目的地に関する情報を広告連動目的地データベース１２から取得する。そして、目的地設定部３２は、取得した広告連動目的地を車両の自動運転の新たな目的地に設定する。
【００２７】
利用料金算出部３３は、車両の走行距離及び走行時間に応じて、輸送サービスの利用料金を算出する。また、利用料金算出部３３は、自動運転中の車両の乗員に対して広告の配信が行われた場合に、乗員が支払うべき輸送サービスの利用料金を減額する。例えば、利用料金算出部３３は、広告がＨＭＩ４２により出力されていた時間をＨＭＩ４２から取得し、当該時間に応じて輸送サービスの利用料金を減額する。
【００２８】
以下、広告連動目的地設定システム１による広告配信処理について説明する。図２は、広告配信処理を示すフローチャートである。図２のフローチャートは、乗員を輸送している車両が予め設定された目的地に向かって自動運転中であるときに実行される。
【００２９】
図２に示されるように、ステップＳ１０において、広告連動目的地設定システム１は、広告配信サーバ１０の広告配信部１１により、目的地設定ＥＣＵ３０において予め設定された目的地に関する情報を、車両通信部４０及びサーバ通信部２０を介して取得する。その後、広告連動目的地設定システム１は、ステップＳ１２に移行する。
【００３０】
ステップＳ１２において、広告連動目的地設定システム１は、広告配信サーバ１０の広告配信部１１により、目的地設定ＥＣＵ３０において予め設定された目的地の周辺に広告対象店舗が存在しているか否かを判定する。広告連動目的地設定システム１は、車両の目的地の周辺に広告対象店舗が存在していると判定した場合（ステップＳ１２：ＹＥＳ）、ステップＳ１４に移行する。一方、広告連動目的地設定システム１は、車両の目的地の周辺に広告対象店舗が存在していると判定しなかった場合（ステップＳ１２：ＮＯ）、今回の処理を終了する。
【００３１】
ステップＳ１４において、広告連動目的地設定システム１は、広告配信サーバ１０の広告配信部１１により、車両の目的地の周辺に存在している広告対象店舗のうちから広告の配信を行う店舗を決定する。その後、広告連動目的地設定システム１は、ステップＳ１６に移行する。
【００３２】
ステップＳ１６において、広告連動目的地設定システム１は、広告配信サーバ１０の広告配信部１１により、配信を行うことに決定された広告対象店舗の広告を乗員に対して配信する。広告配信部１１は、当該広告を、サーバ通信部２０及び車両通信部４０を介して目的地設定ＥＣＵ３０に送信し、当該広告をＨＭＩ４２により出力させて乗員が視聴可能とする。その後、広告連動目的地設定システム１は、今回の処理を終了する。
【００３３】
続いて、広告連動目的地設定システム１による目的地変更処理について説明する。図３は、目的地変更処理を示すフローチャートである。図３のフローチャートは、広告配信サーバ１０の広告配信部１１により配信を行うことに決定された広告対象店舗の広告が、乗員に対して配信されているときに実行される。
【００３４】
図３に示されるように、ステップＳ２０において、広告連動目的地設定システム１は、目的地設定ＥＣＵ３０の選択受付部３１により、乗員が目的地再設定操作を行ったか否かを判定する。すなわち、選択受付部３１は、乗員が「広告連動目的地を車両の新たな目的地に設定する」ことを選択し、ＨＭＩ４２の入力機器を介して目的地設定ＥＣＵ３０に入力する操作を行ったか否かを判定する。広告連動目的地設定システム１は、乗員が目的地再設定操作を行ったと判定した場合（ステップＳ２０：ＹＥＳ）、ステップＳ２２に移行する。一方、広告連動目的地設定システム１は、乗員が目的地再設定操作を行ったと判定しなかった場合（ステップＳ２０：ＮＯ）、今回の処理を終了する。
【００３５】
ステップＳ２２において、広告連動目的地設定システム１は、目的地設定ＥＣＵ３０の目的地設定部３２により、乗員に対して配信された広告を特定する特定情報を、車両通信部４０及びサーバ通信部２０を介して広告配信サーバ１０の広告連動目的地データベース１２に送信する。そして、目的地設定部３２は、広告連動目的地データベース１２から、当該広告に関連付けられた広告連動目的地に関する情報を取得する。その後、広告連動目的地設定システム１は、ステップＳ２４に移行する。
【００３６】
ステップＳ２４において、広告連動目的地設定システム１は、目的地設定ＥＣＵ３０の目的地設定部３２により、取得した広告連動目的地を車両の自動運転の新たな目的地に設定する。その後、広告連動目的地設定システム１は、今回の処理を終了する。
【００３７】
以上説明したように、広告連動目的地設定システム１によれば、予め設定された目的地に向かって自動運転による車両での移動が開始された後に、乗員に対して広告の配信が行われる。乗員は、配信された広告に関連付けられた広告連動目的地を車両の新たな目的地に設定するか否かを決定する。そして、乗員により広告連動目的地を車両の新たな目的地に設定すると決定され、その旨の選択が受け付けられた場合に、広告連動目的地が車両の新たな目的地に設定される。このように、乗員は、広告に関連付けられた地点を車両の自動運転の目的地に設定することを承諾するか否かの判断を事前に行う必要がない。つまり、広告連動目的地設定システム１は、自動運転による車両移動中において広告に関して乗員の要望が反映された目的地を設定することができる。
【００３８】
上述した実施形態は、当業者の知識に基づいて種々の変更、改良を施した様々な形態で実施することができる。
【００３９】
例えば、広告配信部１１は、車両の目的地の周辺に広告対象店舗が存在しているか否かを判定するのではなく、車両の現在位置から目的地までの自動運転の経路上に広告対象店舗が存在しているか否かを判定してもよい。
【００４０】
また、目的地設定ＥＣＵ３０及び自動運転ＥＣＵ４１のそれぞれは、複数のＥＣＵにより構成されていてもよい。或いは、目的地設定ＥＣＵ３０及び自動運転ＥＣＵ４１は、一つのＥＣＵとして構成されていてもよい。
【００４１】
また、広告配信サーバ１０は、広告連動目的地データベース１２を有していなくてもよく、広告連動目的地データベース１２は、外部のサーバ上に設けられていてもよい。
【００４２】
また、広告配信サーバ１０は、配車マネジメント部をさらに有していてもよい。配車マネジメント部は、ユーザからの配車リクエストに応じて、その時点でユーザを輸送可能な車両のうちユーザの現在地付近に位置している車両を選択してもよい。そして、配車マネジメント部は、当該車両の到着可能時刻、車種、料金表等をユーザに提示してもよい。また、配車マネジメント部は、提示した車両を配車することがユーザにより承諾された場合、当該車両をユーザの乗車地点に向かって走行させてもよい。
【００４３】
また、目的地設定ＥＣＵ３０は、利用料金算出部３３を有していなくてもよい。或いは、広告配信サーバ１０が利用料金算出部３３を有していてもよい。
【００４４】
また、広告配信サーバ１０は、利用料金精算部をさらに有していてもよい。この場合、利用料金算出部３３は、乗員が支払うべき利用料金に関する情報を広告配信サーバ１０の利用料金精算部に送信し、利用料金精算部は、予め登録されたクレジットカードにより当該利用料金を自動的に精算してもよい。
【符号の説明】
【００４５】
１…広告連動目的地設定システム、１１…広告配信部、３１…選択受付部、３２…目的地設定部。
【図１】
2019087119.tif 000003
【図２】
2019087119.tif 000004
【図３】
2019087119.tif 000005